(57)【要約】  【課題】固定脚部を接地させてキャスタ部を浮上させたとき、キャスタ部を一定の方向に向かせるようにした固定脚付きキャスタを提供する。  【解決手段】接地部２Ａ１と荷重支持軸２Ａ２を有する固定脚部２Ａと、荷重支持軸２Ａ２の周りに首振り旋回可能及び荷重支持軸２Ａ２の方向に摺動可能に取付けられたキャスタ部２Ｃを有し、摺動の際に荷重支持軸２Ａ２に対して特定の方向にキャスタ部２Ｃを首振らせる機構を設けた。【選択図】図６
2005096713.tif 000002
【特許請求の範囲】
【請求項１】
接地部と荷重支持軸を有する固定脚部と、前記荷重支持軸の周りに首振り旋回可能及び前記荷重支持軸の方向に摺動可能なキャスタ部を有するものであって、前記摺動の際に前記荷重支持軸に対して特定の方向に前記キャスタ部が首を振る機構を有することを特徴とする固定脚付キャスタ。
【請求項２】
前記接地部を有する下端部に対して上部が傾斜または湾曲している荷重支持軸を前記下端部が鉛直方向に向くように家具本体に取付け、前記キャスタ部が前記荷重支持軸の傾斜または湾曲している上部に位置するときに、前記キャスタ部に作用する重力によって前記キャスタ部が特定の方向に首を振ることを特徴とする請求項１記載の固定脚付キャスタ。
【請求項３】
前記キャスタ部または前記固定脚部が前記荷重支持軸の方向に摺動する際、摺動に連動して前記キャスタ部が首を振る機構が、前記キャスタ部の一部に設定したガイド要素と前記固定脚部の一部又は家具本体の一部に設定したガイド要素とが係り合うことで機能するガイド手段であることを特徴とする請求項１記載の固定脚付キャスタ。
【請求項４】
前記ガイド手段を構成する一方のガイド要素が、摺動方向に対して斜めに延びる面であり、これが前記ガイド手段を構成する他方のガイド要素と係り合って機能するものであることを特徴とする請求項３記載の固定脚付キャスタ。
【請求項５】
前記荷重支持軸が家具本体に固定されるものであり、前記荷重支持軸に対して前記キャスタ部が首振り旋回及び摺動可能に取付けられていることを特徴とする請求項３、４記載の固定脚付キャスタ。
【請求項６】
前記荷重支持軸が直線状の軸であり、これに取付けられる前記キャスタ部の摺動方向が直線方向のみであることを特徴とする請求項３、４、５記載の固定脚付キャスタ。
【請求項７】
前記キャスタ部または前記固定脚部が前記荷重支持軸の方向に摺動する際、摺動に連動して前記キャスタ部が首を振る機構が、前記キャスタ部の一部に設けた第１磁石部と、前記固定脚部の一部又は家具本体の一部に設けた第２磁石部とを備えるものであって、前記第１磁石部と第２磁石部との吸着力または反発力を利用して、前記キャスタ部を前記荷重支持軸に対して特定の方向に首を振らせるように構成していることを特徴とする請求項１記載の固定脚付キャスタ。
【請求項８】
前記第１磁石部および第２磁石部が、それぞれ略円盤形状を有するものであって、
前記各磁石部において、その円盤表面を略中央から二分した一方の片側半面にＳ極形成し、他方の片側半面にＮ極を形成することにより、Ｓ極とＮ極とが略同一平面をなすように構成していることを特徴とする請求項７記載の固定脚付キャスタ。
【請求項９】
第１磁石部と第２磁石部とが直接接触することを防止するための接触防止部を備えていることを特徴とする請求項７または８記載の固定脚付キャスタ。
【請求項１０】
前記接触防止部が、前記第１磁石部と第２磁石部との間に配置され、且つ、磁石により吸着されない素材からなるものであることを特徴とする請求項９記載の固定脚付キャスタ。
【請求項１１】
固定脚部が接地部と荷重支持軸を有し、キャスタ部が床面に対して転がり回転可能な車輪と前記車輪を前記荷重支持軸の回りに首振り旋回及び前記荷重支持軸方向に摺動可能に支持するキャスタ支持部を有する固定脚付キャスタを複数具備し、前記キャスタ部の車輪が接地して前記固定脚部が浮上する移動可能状態と、前記固定脚部の接地部が接地して前記キャスタ部が浮上する固定状態を切り替えるために前記荷重支持軸と前記キャスタ支持部を互いに摺動させる操作手段を有するものであって、前記固定脚部の接地部が接地して前記キャスタ部が浮上するに際して、各固定脚付キャスタのキャスタ部があらかじめ定められた特定の方向に首振ることを特徴とする家具。
【請求項１２】
前記固定脚部の接地部が接地して前記キャスタ部が浮上するに際して、各固定脚付キャスタのキャスタ部があらかじめ定められた特定の方向に首を振る機構が、キャスタ部の一部と固定脚部の一部又は家具本体の一部が係り合うことで機能するガイド手段であることを特徴とする請求項１１記載の家具。
【請求項１３】
前記ガイド手段を構成する一方が、摺動方向に対して斜めに延びる面であり、これがガイド手段を構成する他方と係り合って機能するものであることを特徴とする請求項１２記載の家具。
【請求項１４】
前記固定脚部の接地部が接地して前記キャスタ部が浮上するに際して、各固定脚付キャスタのキャスタ部があらかじめ定められた特定の方向に首を振る機構が、前記キャスタ部の一部に設けた第１磁石部と、前記固定脚部の一部又は家具本体の一部に設けた第２磁石部とを備えるものであって、前記第１磁石部と第２磁石部との吸着力または反発力を利用して、前記キャスタ部を前記荷重支持軸に対して特定の方向に首を振らせるように構成していることを特徴とする請求項１１記載の家具。
【請求項１５】
前記第１磁石部および第２磁石部が、それぞれ略円盤形状を有するものであって、
前記各磁石部において、その円盤表面を略中央から二分した一方の片側半面にＳ極形成し、他方の片側半面にＮ極を形成することにより、Ｓ極とＮ極とが略同一平面をなすように構成していることを特徴とする請求項１４記載の家具。
【請求項１６】
第１磁石部と第２磁石部とが直接接触することを防止するための接触防止部を備えていることを特徴とする請求項１４または１５記載の家具。
【請求項１７】
前記接触防止部が、前記第１磁石部と第２磁石部との間に配置され、且つ、磁石により吸着されない素材からなるものであることを特徴とする請求項１６記載の家具。
【請求項１８】
両端部に前記固定脚付キャスタを有する脚ベースを備えるものであって、前記固定脚部の接地部が接地して前記キャスタ部が浮上する際、各キャスタ部が前記脚ベースの長さ方向に向きを揃えることを特徴とする請求項１１、１２、１３、１４、１５、１６、１７記載の家具。
【請求項１９】
前記操作手段が、略鉛直方向に回動させた収納状態と、略水平方向に回動させた使用状態を取り得る天板であることを特徴とする請求項１１、１２、１３、１４、１５、１６、１７、１８記載の家具。
【発明の詳細な説明】
【技術分野】
【０００１】
本発明は、家具等に使用される固定脚付キャスタ及び固定脚付キャスタを備えた家具に関するものである。
【背景技術】
【０００２】
直線方向に伸びるキャスタの首振り旋回軸をキャスタ本体を貫いて下方まで延長し、その先端に接地部を設け、キャスタ本体を前記首振り旋回軸の周りに回転及びその方向に摺動できて摺動範囲の両端位置に保持可能に構成した固定脚部機構付きキャスタ（例えば、特許文献１参照。）や、折畳み可能な天板と、固定スタンドと固定スタンドの周りに首振り旋回及び軸方向に摺動可能なキャスタを有し、天板の折畳み動作とキャスタの摺動が連動しており、天板を折畳んだときにはキャスタが接地して移動可能な状態になり、天板を水平にしたときには固定スタンドが接地して移動しにくい状態になる折畳式テーブル（例えば、特許文献２参照。）などが従来から知られている。また、特許文献１の固定脚部機構付きキャスタは、特許文献２で挙げた折畳式テーブルのように、家具等に取り付けて使用するものである。
【特許文献１】特開２０００−１２７７０６
【特許文献２】特開２００１−６１５５７
【発明の開示】
【発明が解決しようとする課題】
【０００３】
ところが、上記のようなものには、固定脚部を接地させてキャスタ部を浮上させた状態でキャスタ部の首振りの向きを制御する機構が付いていない。例えば、特開２００１−６１５５７折畳式テーブル（特許文献２）は、合計４個の固定スタンド付きキャスタを有しているが、キャスタ部を浮上させた状態で各キャスタ部がそれぞればらばらの方向を向くため、外観上見苦しい状態となる。
また、テーブルなどは広い部屋に何台も整然と並べて使うことがあるが、こういうときに各キャスタ部がそれぞればらばらの方向を向いていると、さらに見苦しい状態となる。
【０００４】
そこで本発明は、以上のような問題に鑑みて、固定脚部を接地させてキャスタ部を浮上させたとき、キャスタ部を一定の方向に向かせるようにした固定脚付きキャスタを提供すること、またこのような固定脚付きキャスタを備えた好適な家具を提供することを目的としている。
【課題を解決するための手段】
【０００５】
すなわち、本発明の固定脚付きキャスタは、接地部と荷重支持軸を有する固定脚部と、前記荷重支持軸の周りに首振り旋回可能及び前記荷重支持軸の方向に摺動可能なキャスタ部を有するものであって、前記摺動の際に前記荷重支持軸に対して特定の方向に前記キャスタ部が首を振る機構を有することを特徴とするものである。
【０００６】
このような構成のものを、場所を移動させたり設置させたりしたい家具本体に、キャスタ部の首振りの方向をあらかじめ考慮して取り付けることによって、固定脚部の接地部をキャスタ部の車輪よりも突出させたキャスタ部浮上状態でキャスタ部を特定の方向に首振らせることが可能となる。
【０００７】
複雑な構造を用いることなく、前記キャスタ部を浮上させたときに特定の方向に首振らせるには、前記接地部を有する下端部に対して上部が傾斜または湾曲している荷重支持軸を前記下端部が鉛直方向に向くように家具本体に取付け、前記キャスタ部が前記荷重支持軸の傾斜または湾曲している上部に位置するときに、前記キャスタ部に作用する重力によって前記キャスタ部が特定の方向に首を振るようにした構成のものが挙げられる。
【０００８】
前記キャスタ部または前記固定脚部が前記荷重支持軸の方向に摺動する際、摺動に連動して前記キャスタ部が首を振る機構が、前記キャスタ部の一部に設定したガイド要素と前記固定脚部の一部又は家具本体の一部に設定したガイド要素とが係り合うことで機能するガイド手段であるものであれば、前記キャスタ部を浮上させたときに特定の方向に確実に、また首振りのための特別な操作無しで前記キャスタ部を首振らせることができる。
【０００９】
簡易な構造で確実な動作を実現するためには、前記ガイド手段を構成する一方のガイド要素が、摺動方向に対して斜めに延びる面であり、これが前記ガイド手段を構成する他方のガイド要素と係り合って機能するものとし、
固定脚部を接地させた状態での家具本体のふらつきを小さく抑えるためには、前記荷重支持軸が家具本体に固定されるものであり、前記荷重支持軸に対して前記キャスタ部が首振り旋回及び摺動可能に取付けられていることが望ましい。
【００１０】
前記荷重支持軸が直線状の軸であり、これに取付けられる前記キャスタ部の摺動方向が直線方向のみであるものであれば、構成部品の製作や作動機構部の組立も容易なものとなる。
【００１１】
また、簡易な構造で確実な動作を実現する他の態様としては、前記キャスタ部または前記固定脚部が前記荷重支持軸の方向に摺動する際、摺動に連動して前記キャスタ部が首を振る機構が、前記キャスタ部の一部に設けた第１磁石部と、前記固定脚部の一部又は家具本体の一部に設けた第２磁石部とを備えるものであって、前記第１磁石部と第２磁石部との吸着力または反発力を利用して、前記キャスタ部を前記荷重支持軸に対して特定の方向に首を振らせるように構成しているものが挙げられる。
【００１２】
このとき、前記第１磁石部および第２磁石部が、それぞれ略円盤形状を有するものであって、前記各磁石部において、その円盤表面を略中央から二分した一方の片側半面にＳ極形成し、他方の片側半面にＮ極を形成することにより、Ｓ極とＮ極とが略同一平面をなすように構成しているものであれば、上述の首を振る機構を、コンパクトなものとして実現できる。
【００１３】
ところで、第１磁石部と第２の磁石部とが、吸着力により離れなくなってしまう等の不具合を防止するには、第１磁石部と第２磁石部とが直接接触することを防止するための接触防止部を備えていることが望ましい。この場合の具体的な接触防止部の態様としては、その前記接触防止部が、前記第１磁石部と第２磁石部との間に配置され、且つ、磁石により吸着されない素材からなるものが挙げられる。
【００１４】
固定脚部が接地部と荷重支持軸を有し、キャスタ部が床面に対して転がり回転可能な車輪と前記車輪を前記荷重支持軸の回りに首振り旋回及び前記荷重支持軸方向に摺動可能に支持するキャスタ支持部を有する固定脚付キャスタを複数具備し、前記キャスタ部の車輪が接地して前記固定脚部が浮上する移動可能状態と、前記固定脚部の接地部が接地して前記キャスタ部が浮上する固定状態を切り替えるために前記荷重支持軸と前記キャスタ支持部を互いに摺動させる操作手段を有するものであって、前記固定脚部の接地部が接地して前記キャスタ部が浮上するに際して、各固定脚付キャスタのキャスタ部があらかじめ定められた特定の方向に首振るものであれば、キャスタ部を浮上させて家具を設置した状態での複数のキャスタ部の首振り方向をあらかじめ設定しておくことが出来、複数台の家具を並べた際にキャスタ部の向きがばらばらになって見苦しい状態になるのを防ぐことができる。また、キャスタ部浮上時に向きを制御するための操作が増えることが無く、簡単確実に作動させることができる。
【００１５】
前記キャスタ部または前記固定脚部が前記荷重支持軸の方向に摺動する際、摺動に連動して前記キャスタ部が首を振る機構が、キャスタ部の一部と固定脚部の一部又は家具本体の一部が係り合うことで機能するガイド手段であるものであれば、前記キャスタ部を浮上させたときに特定の方向に確実に、また首振りのための特別な操作無しで前記キャスタ部を首振らせることができる。
【００１６】
また、簡易な構造で確実な動作を実現するためには、前記ガイド手段を構成する一方が、摺動方向に対して斜めに延びる面であり、これがガイド手段を構成する他方と係り合って機能するものであることが望ましい。
【００１７】
両端部に前記固定脚付キャスタを有する脚ベースを備えたものであって、前記固定脚部の接地部が接地して前記キャスタ部が浮上する際、各キャスタ部が前記脚ベースの長さ方向に向きを揃えるものであれば、複数台を並べて使用する際に、外観上も整然として綺麗に見える。
特にテーブルとして好ましい態様としては、前記操作手段が、略鉛直方向に回動させた収納状態と、略水平方向に回動させた使用状態を取り得る天板であるものが挙げられる。
【発明の効果】
【００１８】
以上に詳述したように本発明によれば、収納位置からフラップ動作させた天板が、使用位置に位置付けられ、固定脚部が接地位置となり且つキャスタが離間位置となったとき、キャスタを所定の方向に首を振らせて向きを揃えることが出来るため、通行の妨げにならず、外観上も整然として綺麗に見せることが容易である。
【発明を実施するための最良の形態】
【００１９】
以下、本発明の一実施形態を、図面を参照して説明する。
【００２０】
本実施形態に係るテーブルＴは、オフィスや学校などで使用されるものであって、例えば、図１に示すように、天板１と、前記天板１を支持するための脚２と、天板１と脚２との間に介在しその天板１を略水平となる使用位置（Ｐ）と略鉛直に起立する収納位置（Ｑ）との間でフラップ動作可能に支持する支持機構３と、前記脚２を床面Ｆに対して移動不能に支持する固定脚部２Ａと、前記脚２を床面Ｆに対して移動可能に支持するキャスタ部２Ｃと、前記天板１を収納位置（Ｑ）に位置付けるフラップ動作に連動して前記キャスタ部２Ｃを床面Ｆに接地させ且つ前記固定脚部２Ａを床面Ｆから離間させるように作動し、前記天板１を使用位置（Ｐ）に位置付けるフラップ動作に連動して前記キャスタ部２Ｃを床面Ｆから離間させ且つ前記固定脚部２Ａを床面Ｆに接地させるように作動する作動機構Ｗと、前記天板１のフラップ動作と連動し且つ天板１が使用位置（Ｐ）にある際に下肢空間Ｓを所定方向から隠蔽する幕板４と、フラップ動作して前記使用位置（Ｐ）に位置付けられた天板１をその位置で移動不能に係止する一方、所定操作によりその係止を解除するラッチ機構５とを具備するものである。
【００２１】
なお、本実施形態では、天板１が使用位置（Ｐ）にある際に、その表面側を上側、裏面側を下側と定義し、天板１の幕板４が取り付けられている側を反使用端側と定義して説明をする。
【００２２】
以下、各部を詳述する。
【００２３】
天板１は、平面視略矩形をなすように形成された木製のものである。
【００２４】
脚２は、前記固定脚部２Ａに支持される第１の脚２ａと、前記キャスタ部２Ｃに支持される第２の脚２ｂとを相対移動可能に備えてなる。
【００２５】
より具体的には、第１の脚２ａは、図２、図４等に示すように、下向きコ字状で使用端側及び反使用端側に行くにしたがって漸次高さ寸法が小さくなる第１の脚ベース２２ａと、前記第１の脚ベース２２ａの中央部上方に支持され床面Ｆに対して起立する中空略角柱状の第１の脚支柱２１ａとを具備し、前記第１の脚支柱２１ａの中空部分が下方に開口するように前記第１の脚ベース２２ａの対応する中央部の位置には同形状の角孔があけられており、これら各部を金属などを素材として一体的に成形してなる。また、第１の脚ベース２２ａ使用端側及び反使用端側の両端部には、前記固定脚部２Ａの荷重支持軸２Ａ２がねじ込み式等の手段によって固定されている。
【００２６】
また、第２の脚２ｂは、図２、図４等に示すように、使用端側及び反使用端側に行くにしたがって漸次高さ寸法が小さくなる第２の脚ベース２２ｂと、前記第２の脚ベース２２ｂに支持され床面Ｆに対して起立する第２の脚支柱２１ｂとを具備し、これら各部を金属などを素材として一体的に成形してなる。なお、前記第２の脚ベース２２ｂ使用端側及び反使用端側の両端部には前記固定脚部２Ａの荷重支持軸２Ａ２を挿通させ得るパイプ材が溶接によって固定されている。
【００２７】
そして、第１の脚支柱２１ａの中空部に第２の脚支柱２１ｂを下方から挿入し、第１の脚ベース２２ａ両端部の固定脚部２Ａの荷重支持軸２Ａ２が第２の脚ベース２２ｂ両端部のパイプ材を挿通させて、この第１の脚２ａと第２の脚２ｂとを相対移動可能な配置にしている。
その後、前記固定脚部２Ａの荷重支持軸２Ａ２の周りに、首振り回転及び軸方向に摺動可能にキャスタ部２Ｃを取付け、さらにその下方から前記キャスタ部２Ｃを上方に付勢するように押上スプリングＳＰを取付けて、前記キャスタ部２Ｃ及び押上スプリングＳＰが外れないように固定脚部２Ａの接地部２Ａ１を取り付けてなる。
【００２８】
しかして、前記第１の脚ベース２２ａと前記固定脚部２Ａの取り付け位置及び前記第２の脚ベース２２ｂと前記キャスタ部２Ｃの位置が平面視重合する位置関係となるように構成している。
また、前記第１の脚支柱２１ａが、前記第２の脚支柱２１ｂを外観不能に隠蔽し、前記第１の脚ベース２２ａが、前記第２の脚ベース２２ｂの少なくとも上端部側を外観不能に隠蔽する状態となる。
【００２９】
ここでキャスタ部２Ｃは、図５等に示すように、床面Ｆに接地可能な離間した２つの車輪２Ｃ１を備え、前記車輪２Ｃ１の回転軸がキャスタ部２Ｃの首振り回転軸たる前記固定脚部２Ａの荷重支持軸２Ａ２と交差することなく一方向に離間した位置に設けられている双輪キャスタであり、前記固定脚部２Ａの接地部２Ａ１は、図５等に示すように、前記キャスタ部２Ｃの車輪２Ｃ１間の寸法よりも小さな外径を有しているため、平面視、キャスタ部２Ｃの２つの車輪２Ｃ１の間に前記固定脚部２Ａが配置可能である。また、天板１を収納位置（Ｑ）に位置付けキャスタ部２Ｃが床Ｆに接地して前記固定脚部２Ａの接地部２Ａ１が床Ｆから離間する状態では、側面視、キャスタ部２Ｃの２つの車輪２Ｃ１の円形を成す外形によって前記固定脚部２Ａの接地部２Ａ１が隠蔽されるように配置されるため、テーブルＴを移動する際に床面Ｆに乗り越えなければならない段差が有ってもこれが前記接地部２Ａ１に当接することが無く、段差乗り越えの際の邪魔にならない。
【００３０】
また、前記第１の脚支柱２１ａの上端部は天板１をフラップ動作可能に支持する回転支軸３１を備え、押下機構Ｗ１は、前記回転支軸３１に取り付けられ天板１をフラップ動作させた際にその回転支軸３１と連動して回動する回動部材Ｗ２と、一端部を前記回動部材Ｗ２に枢支され他端部を前記第２の脚支柱２１ｂに設けた孔ＮＡに枢支される進退部材Ｗ３とを備えてなる。
【００３１】
より具体的に説明すると、回動部材Ｗ２は、周縁部の一部を側面視略三角形状をなすように膨出させてなり且つ他の周縁部が部分円弧状をなす、板金素材から切抜いて形成したものである。そして、この回動部材Ｗ２は、略中央部に厚み方向に貫通する貫通孔を備え、この貫通孔に前記回転支軸３１に連動して回動する円柱状の回動要素３１ｘを挿通させ溶接によりその回動要素３１ｘに固着されている。進退部材Ｗ３は、長手方向に各部等断面形状をなす棒材であって、一端部を内方へ略直角に起立させ、他端部を外方へ略直角に起立させてなる。そして、内方へ起立させた一端部が、前記回動部材Ｗ２の膨出させた部位に回動可能に支持されるように取り付けられている。また、外方へ起立させた他端部が、前記第２の脚支柱２１ｂの孔ＮＡに取り付けられている。
【００３２】
かかる構成によって、前記天板１を収納位置（Ｑ）に位置付ける際に、前記回動部材Ｗ２の回動によって進退部材Ｗ３を介して前記第２の脚支柱２１ｂすなわち第２の脚２ｂ全体が下方に押下られ、キャスタ部２Ｃを下方に押すため、前記キャスタ部２Ｃが固定脚部２Ａの荷重支持軸２Ａ２の軸方向下方に摺動して床Ｆに接地し、固定脚部２Ａの接地部２Ａ１が床Ｆから離間する状態となる。
【００３３】
逆に前記天板１を使用位置（Ｐ）に位置付ける際には、前記回動部材Ｗ２の回動によって進退部材Ｗ３を介して前記第２の脚支柱２１ｂすなわち第２の脚２ｂ全体が上方に引上げられ、キャスタ部２Ｃを下方に押している状態が解除されて固定脚部２Ａの接地部２Ａ１が床Ｆに接地し、前記キャスタ部２Ｃが押上スプリングＳＰによって固定脚部２Ａの荷重支持軸２Ａ２の軸方向上方に摺動して床Ｆから離間する状態となる。
【００３４】
しかして、図６に示すように、第１の脚ベース２２ａ両端部の荷重支持軸２Ａ２が取付けられる周辺部にはキャスタ部２Ｃの摺動方向に対して斜めに延びる首振りガイド面２２ａ１が形成されており、また、キャスタ部２Ｃには上向きにガイドピン２Ｃ２が突設されていて、天板１を使用位置（Ｐ）に位置付けキャスタ部２Ｃが押上スプリングＳＰによって上方に摺動する際に、前記首振りガイド面２２ａ１に前記ガイドピン２Ｃ２の先端が当接して摺動することにより、キャスタ部２Ｃのガイドピン２Ｃ２が首振りガイド面２２ａ１の床Ｆから最も高い部分に位置するようにキャスタ部２Ｃが首を振る。
【００３５】
また、前記キャスタ部２Ｃのガイドピン２Ｃ２を突設する位置を変更することにより、上述したキャスタ部２Ｃが首を振る方向を自由に設定することが出来る。
【００３６】
支持機構３は、図２、図４等に示すように、第１の脚支柱２１ａの上端部の所定位置に取り付けられ且つフラップ動作する天板１の回転中心となる回転支軸３１と、天板１裏面の所定位置に取り付けられ且つ回転支軸３１に回転可能に支持されてなる支持要素たる天板受け３２とを備えてなる。
【００３７】
より具体的には、前記回転支軸３１は、前記第１の脚支柱２１ａ間に横架させてなる長手方向に沿って各部等断面形状をなす円筒状のパイプである。そしてこの回転支軸３１は、その両端部を前記第１の脚支柱２１ａの上端部に所定の状態となるように載置して固定している。さらに具体的には、回転支軸３１の反使用端側縁部が、前記第１の脚支柱２１ａの反使用端側縁部より反使用端側へ突出する位置に位置付けられるように、第１の脚支柱２１ａの上端部に溶接により固定されている。このことにより、天板１を収納位置（Ｑ）に位置付けた場合には、その収納位置（Ｑ）に位置付けた天板１と、第１の脚支柱２１ａとの間に隙間ｈが形成されることとなる。
【００３８】
また、前記天板受け３２の側面には、前記回転支軸３１を挿通するための上向きＵ字状をなす挿通部３ａを形成している。そして、天板１裏面とこの挿通部３ａとで囲まれる空間に前記回転支軸３１を挿通させれば、天板１裏面と挿通部３ａの周端縁とによって前記回転支軸３１を回転可能に支持することができる。
【００３９】
しかして、天板１は、前記使用位置（Ｐ）と前記収納位置（Ｑ）との間で前記回転支軸３１の軸線周りにフラップ動作可能になる。そして、使用位置（Ｐ）に天板１が位置付けられている際には、前記回転支軸３１は、天板１直下に位置付けられることとなり、この回転支軸３１が、荷重を受けた天板１の撓みを防止する天板補強部材としての機能を発揮する。また、収納位置（Ｑ）に天板１が位置付けられている際には、前記回転支軸３１は、起立する天板１裏面の側方に沿って位置付けられることとなり、回転支軸３１の両端部が、天板受け３２を介して天板１を支持することとなる。
【００４０】
幕板４は、前記天板１と前記第１の脚支柱２１ａとに取り付けられてなり且つ幅寸法が天板１と略同一の正面視略矩形状をなすものであって、板金素材を塑性変形加工して形成してなる。なお、本実施形態では、この幕板４は、天板１裏面と該幕板４上部との間に介在させてなる上支持部材４１と、前記第１の脚支柱２１ａと該幕板４下部との間に介在させてなる下支持部材４２とによって、天板１をフラップ動作させた際に、前記第１の脚支柱２１ａに対して平行を成しながら近接又は離間し得るように支持されている。しかして、天板１が使用位置（Ｐ）にある場合には、この幕板４によって、反使用端側から下肢空間Ｓが隠蔽される。
【００４１】
ラッチ機構５は、前記回転支軸３１に固定してなる係止要素５１と、前記天板受け３２に取り付けてなり前記係止要素５１に係止され得る被係止要素５２と、前記被係止要素５２を所定軸周りに回転させる操作レバー５３とを具備してなる。
【００４２】
より具体的には、前記係止要素５１は一端部を前記回転支軸３１に溶接によって固定され、他端部を反使用端側に膨出させてなる側面視下向きに突出する下向き爪であって、本実施形態では、板金素材を塑性変形加工することにより形成してなる。被係止要素５２は、前記天板受け３２内に設けられた係止軸５４に回転可能に軸支され、他端部を前記係止要素５１に係止され得る側面視上向きに突出する上向き爪であって、本実施形態では、板金素材を塑性変形加工することにより形成してなる。操作レバー５３は、使用者が把持して操作可能なコ字状の把持要素５３１と、この把持要素５３１の回転中心となる連結要素５３２とを備え、この連結要素５３２を前記被係止要素５２の一端部に取り付けることにより、前記把持要素５３１が前記係止軸５４を回転中心として回転するように構成してなる。
【００４３】
なお、本実施形態において、前記係止要素５１、被係止要素５２及び操作レバー５３の連結要素５３２とが、前記天板受け３２内の空間に収容されるように構成している。また、前記操作レバー５３の把持要素５３１は、使用者が操作できるように、天板受け３２の外部に露出するように配置してなる。
【００４４】
以上のように構成されるテーブルＴは、次のようにして使用される。
【００４５】
まず、天板１を、使用位置（Ｐ）に位置付けて使用する場合について説明する。
【００４６】
天板１を、収納位置（Ｑ）側から使用位置（Ｐ）に向けてフラップ動作させて、前記使用位置（Ｐ）に位置付けると、図２、図５、図６に示すように、固定脚部２Ａの接地部２Ａ１が床面Ｆに接地し、キャスタ部２Ｃが床面Ｆから離間する位置にそれぞれ位置付けられるので、天板１を、水平な使用位置（Ｐ）にするだけで、テーブルＴを床面Ｆに対して移動不能に設置することができる。
また、このとき床面Ｆから離間したキャスタ部２Ｃはガイドピン２Ｃ２が首振りガイド面２２ａ１に接触・摺動して、車輪２Ｃ１の回転軸が固定脚部２Ａの荷重支持軸２Ａ２よりも内側寄り、すなわち第１の脚支柱２１ａにより近い位置に配置され、平面視、第１の脚ベース２２ａに重合するように首を振る。
【００４７】
また、このとき幕板４が、天板１のフラップ動作と連動して移動し、脚支柱２１から所定距離に離間した位置に位置付けられる。しかして、天板１、幕板４、脚２及び床面Ｆとによって囲まれ且つ使用端側に開口してなる下肢空間Ｓが形成される。なお、使用位置（Ｐ）に天板１が位置付けられているときには、被係止要素５２が係止要素５１に係止されるので、天板１はフラップ動作することを禁止される状態となる。
【００４８】
次に、天板１を、収納位置（Ｑ）に位置付けて使用する場合について説明する。
【００４９】
使用者が、操作レバー５３の先端部を天板１に近づく方向に操作すると、ラッチ機構５の被係止要素５２と係止要素５１との係止が解除され、天板１がフラップ動作可能な状態になる。
【００５０】
そして、天板１を、使用位置（Ｐ）から収納位置（Ｑ）に向けてフラップ動作させると、
このフラップ動作に連動して回転支軸３１に取り付けてなる回動部材Ｗ２が回動を始め、進退部材Ｗ３の他端部と孔ＮＡが係合した状態で、進退部材Ｗ３の他端部が下降する。これによって、第２の脚支柱２１ｂが下方へ移動させられ、これによってキャスタ部２Ｃが下方に押出されて車輪２Ｃ１が接地し固定脚部２Ａの接地部２Ａ１が床面Ｆから離間する。
このとき、キャスタ部２Ｃのガイドピン２Ｃ２の先端が第１の脚ベース２２ａの首振りガイド面２２ａ１の最下部よりも下に位置するため、キャスタ部２Ｃは自由に首振り旋回が可能となり、しかして、該テーブルＴが床面Ｆに対して移動可能になる。
【００５１】
なお、前記幕板４は、天板１のフラップ動作と連動して移動し、天板１と脚支柱２１との間に形成される隙間ｈに位置付けられる。しかして、天板１と脚支柱２１と幕板４とが、脚ベース２２の両先端部から略等距離にある位置で、床面Ｆに対して起立する状態となる。
【００５２】
このような状態で、天板１や第１の脚支柱２１ａに水平方向の所定の力を加えると、第２の脚ベース２２ｂを支持するキャスタ部２Ｃの車輪２Ｃ１が床面Ｆに対して転動し、該テーブルＴを床面Ｆに対して移動させることができる。
【００５３】
キャスタ部２Ｃに突設するガイドピン２Ｃ２は、図７に示すように、摺動方向に対して斜めに延びるキャスタガイド面２Ｃ３とすることもできる。
【００５４】
このキャスタガイド面２Ｃ３は前記第１の脚ベース２２ａ両端部に形成された首振りガイド面２２ａ１に略一致する傾斜面であり、天板１を、使用位置（Ｐ）に向けてフラップ動作させ、キャスタ部２Ｃが床面Ｆから離間した時に、前記キャスタ部２Ｃのキャスタガイド面２Ｃ３の上端が前述したガイドピン２Ｃ２と同様に、首振りガイド面２２ａ１に接触・摺動して、車輪２Ｃ１の回転軸が第１の脚ベース２２ａの内側寄り、すなわち第１の脚支柱２１ａにより近い位置に配置され、平面視、第１の脚ベース２２ａに重合するように首を振り、キャスタガイド面２Ｃ３が第１の脚ベース２２ａの首振りガイド面２２ａ１に略重合する状態で首振り動作を停止する。
【００５５】
また、図８は第１の脚ベース２２ａ両端部に形成された首振りガイド面２２ａ１とキャスタ部２Ｃのキャスタガイド面２Ｃ３を略同一で重合可能な円錐形にしたものである。
【００５６】
上面と底面は平行な楕円面であり、上面の中心から底面に下ろした垂線は底面の中心から外れた位置で底面と交差する。そして、前記上面と底面の外周に挟まれた側面たる円錐面は、前記上面、底面に対する傾斜角度が対応する上面、底面の外周部の位置によって異なるように構成されている。
【００５７】
キャスタ部２Ｃは、前記キャスタガイド面２Ｃ３の底面の下側に車輪２Ｃ１を備え、上面の中心から底面に垂直に、荷重支持軸２Ａ２を挿通する孔を設けたものである。
【００５８】
そして前記キャスタガイド面２Ｃ３の上面の上部に第２の脚ベース２２ｂ端部の荷重支持軸挿通孔２２ｂ１が位置するように配置し、押上スプリングＳＰ、接地部２Ａ１を取付けた荷重支持軸２Ａ２を前記キャスタ部２Ｃの下から挿通孔を通るように差込み、前記第２の脚ベース２２ｂ端部の荷重支持軸挿通孔２２ｂ１を挿通して第1の脚ベース２２ａに、キャスタ部２Ｃが首振り回転及び荷重支持軸２Ａ２の方向に摺動可能となるように固定している。
【００５９】
なお、第1の脚ベース２２ａ両端部に形成された首振りガイド面２２ａ１の一部には前記第２の脚ベース２２ｂが通る切り込みか形成され、楕円形上面の中心には前記荷重支持軸２Ａ２を取付けるための円柱形凹陥部が設けられている。
【００６０】
この構成によれば、天板１を、使用位置（Ｐ）に向けてフラップ動作させ、第２の脚ベース２２ｂが引上げられてキャスタ部２Ｃが床面Ｆから離間した時に、前記キャスタ部２Ｃのキャスタガイド面２Ｃ３上のある点が、円錐面である首振りガイド面２２ａ１の楕円形底辺上のある点に接触・摺動して、キャスタガイド面２Ｃ３が首振りガイド面２２ａ１に重合するようにキャスタ部２Ｃが首を振る。
【００６１】
また、図９によれば、下端部に押上スプリングＳＰ及び接地部２Ａ１を有する均一な円弧状に湾曲した湾曲荷重支持軸２Ａ３の押上スプリングＳＰより上部に、底面に湾曲荷重支持軸２Ａ３を挿通しうる孔を有し上面が開放した有底円筒形状であるキャスタ旋回筒２Ｃ５を配置し、湾曲荷重支持軸２Ａ３のうち前記キャスタ旋回筒２Ｃ５より上部位置を、左右一対で左右の合わせ面に湾曲荷重支持軸２Ａ３にぴったり合う形の半溝を形成し左右あわせると外形が略円柱形状のキャスタスライド部材２Ｃ４で挟み込んで、前記キャスタスライド部材２Ｃ４を前記キャスタ旋回筒２Ｃ５の中に押し込み、さらに前記キャスタ旋回筒２Ｃ５及び前記キャスタスライド部材２Ｃ４の上に第２の脚ベース２２ｂを配置して、湾曲荷重支持軸２Ａ３の上端部を第１の脚ベース２２ａに固定する。
【００６２】
ここで、キャスタ旋回筒２Ｃ５はその下部に左右一対の車輪２Ｃ１を有するキャスタ部２Ｃの一部であり、略円筒形のキャスタスライド部材２Ｃ４の外周部をキャスタ旋回筒２Ｃ５が回転可能となっている。また、湾曲荷重支持軸２Ａ３上を前記キャスタスライド部材２Ｃ４が軸方向に摺動可能ではあるが軸の周りに回転はしないため、湾曲荷重支持軸２Ａ３及びそれにはまりあうキャスタスライド部材２Ｃ４係合溝の断面は、特に円形でなく多角形であってもかまわない。また、第２の脚ベース２２ｂ端部の荷重支持軸挿通孔２２ｂ１は湾曲荷重支持軸２Ａ３が円弧状に湾曲しているのに対応するため、長円孔となっている。
【００６３】
この構成によれば、図１０に示すように、天板１が収納位置（Ｑ）にあるときには、前記第２の脚ベース２２ｂが押下られてキャスタ部２Ｃが湾曲荷重支持軸２Ａ３の下端部に位置して床面Ｆに接地する状態である。このとき前記キャスタスライド部材２Ｃ４に対するキャスタ旋回筒２Ｃ５の回転軸は略鉛直となるように設定されているため、テーブルＴが移動する際にキャスタ部２Ｃは鉛直軸周りに無理なく旋回することができる。
【００６４】
また、天板１を、使用位置（Ｐ）に向けてフラップ動作させ、前記第２の脚ベース２２ｂが引上げられて、押上スプリングＳＰによってキャスタ部２Ｃが床面Ｆから離間し上方に摺動すると、前記キャスタスライド部材２Ｃ４は湾曲荷重支持軸２Ａ３上を摺動するのに伴って傾き、結果キャスタ旋回筒２Ｃ５の回転軸も同様に傾く。このとき車輪２Ｃ１がキャスタ旋回筒２Ｃ５の中心たる回転軸から一定距離離れた位置に取付けられているため、その重量によって車輪２Ｃ１がキャスタ旋回筒２Ｃ５の回転軸の傾きの下側方向に位置付けられるように首を振る。
【００６５】
次に図１１に示すものは、下端部に接地部２Ａ１を有し中間部よりも径が細く雄ねじが形成されている上端部を有する荷重支持軸２Ａ２と、接地部２Ａ１の外径よりも内径が小さな押上スプリングＳＰと、前記荷重支持軸２Ａ２を挿通可能な孔を有しその上部に前記荷重支持軸２Ａ２を挿通可能な孔よりも径が大きく前記荷重支持軸２Ａ２の軸方向に対して斜めに延びるキャスタガイド面２Ｃ３を有するキャスタ旋回筒２Ｃ５と車輪２Ｃ１を有するキャスタ部２Ｃと、前記キャスタガイド面２Ｃ３に略重合可能な傾斜面たる首振りガイド面２２ａ１及び荷重支持軸２Ａ２上端部の雄ねじ部のみを挿通可能な大きさの孔を有する首振りガイド部材２２ａ２によって構成されるものであって、接地部２Ａ１が下端部に一体に形成されている荷重支持軸２Ａ２を押上スプリングＳＰ、キャスタ旋回筒２Ｃ５、首振りガイド部材２２ａ２の順に、前記キャスタガイド面２Ｃ３と前記首振りガイド面２２ａ１が重合するように挿通するように組上げた固定脚付キャスタである。
【００６６】
図１２は、前記固定脚付キャスタを取付けるテーブルＴの脚の構成であって、第１の脚ベース２２ａの先端部に、その内径に雌ねじを形成し全体が下向き円筒形に突出した荷重支持軸取付部２Ａ４を有し、先端部に前記荷重支持軸取付部２Ａ４の外形に嵌り合う円筒部材を有する天板１のフラップ動作に連動して上下動する第２の脚ベース２２ｂをさらに有し、前記天板１が使用位置（Ｐ）にあるときに第２の脚ベース２２ｂが上方に引上げられて図１２に示すごとく第２の脚ベース２２ｂ先端部の円筒部材が前記荷重支持軸取付部２Ａ４の外形に嵌り込む。
【００６７】
また、前記固定脚付キャスタの首振りガイド部材２２ａ２は第２の脚ベース２２ｂ先端部の円筒部材内径に収まる大きさであり、キャスタ旋回筒２Ｃ５上端の面であるキャスタ押下部２Ｃ６は前記第２の脚ベース２２ｂ先端部の円筒部材の下面に重合する形状である。
【００６８】
以下、図１１の構成による固定脚付キャスタの動作を図１３を参照して説明する。
【００６９】
天板１が使用位置（Ｐ）に位置付けられた時にキャスタ部２Ｃの首を振らせたい方向を考慮して首振りガイド部材２２ａ２の向きを決め、前記荷重支持軸取付部２Ａ４の雌ねじ部に前記固定脚付キャスタの荷重支持軸２Ａ２上端部の雄ねじ部をねじ込むと、首振りガイド部材２２ａ２は荷重支持軸２Ａ２と荷重支持軸取付部２Ａ４に挟み込まれて向きが固定される。
【００７０】
このようにして固定脚付キャスタを取付けたテーブルＴの天板１を収納位置（Ｑ）に位置付けると前記第２の脚ベース２２ｂが押下られその先端部に取付けられた円筒部材の下面が前記キャスタ押下部２Ｃ６を押下ることによりキャスタ部２Ｃが下方に摺動して床面Ｆに接地し、固定脚部の接地部２Ａ１が床面Ｆから離間する。このとき前記首振りガイド面２２ａ１の下端よりも前記キャスタガイド面２Ｃ３の上端のほうが下方に位置付けられるため、テーブルＴを移動させる際にキャスタ部２Ｃは自由に首振り旋回が可能である。
【００７１】
また、天板１を使用位置（Ｐ）に位置付けると前記第２の脚ベース２２ｂが引上げられキャスタ部２Ｃが押上スプリングＳＰによって上方に摺動して床面Ｆから離間し、固定脚部たる接地部２Ａ１が床面Ｆに接地する。このとき前記首振りガイド面２２ａ１の下端が前記キャスタガイド面２Ｃ３に接触・摺動して、キャスタガイド面２Ｃ３が第１の脚ベース２２ａに対して向きが固定されている前記首振りガイド面２２ａ１に略重合するようにキャスタ部２Ｃが首振り旋回する。
【００７２】
またさらに、固定脚付キャスタＣを、図１４に示すような構成とすることもできる。
【００７３】
具体的には、固定脚付キャスタＣは、下端部に接地部２Ａ１を有する荷重支持軸２Ａ２と、接地部２Ａ１の外径よりも内径が小さな押上スプリングＳＰと、前記荷重支持軸２Ａ２を挿通可能な孔２Ｃ５１を有するキャスタ旋回筒２Ｃ５及び車輪２Ｃ１を有するキャスタ部２Ｃと、フェライト磁石やネオジウム磁石等の永久磁石からなる第１磁石部Ｍ１とを備え、接地部２Ａ１が下端部に一体に形成されている荷重支持軸２Ａ２を押上スプリングＳＰ、キャスタ旋回筒２Ｃ５、第１磁石部Ｍ１の順に、挿通するように組上げたものである。
【００７４】
なお、本実施形態では、第１磁石部Ｍ１を、略円盤形状に形成している。そして、円盤表面たる上向き面Ｍ１ａにおいて、その上向き面Ｍ１ａを略中央から二分した一方の片側半面Ｍ１ａ１にＳ極を形成し、他方の片側半面Ｍ１ａ２にＮ極を形成している（図１７、図１８（ａ）参照）。また、その中心部に厚み方向に貫通する貫通孔Ｍ１ｘを設けている。
【００７５】
図１４に示すように構成される固定脚付キャスタＣは、例えば、図１５に示すテーブルＴの脚２に取り付けて使用する。
【００７６】
具体的にそのテーブルＴの脚２の構成を説明すると、この固定脚付キャスタＣは、下方に向けて開口する断面略コ字状の第１の脚ベース２２ａと、この第１の脚ベース２２ａの内部空間に位置付けられ且つ天板１のフラップ動作に連動して上下動する第２の脚ベース２２ｂとを備えるものである。
【００７７】
より具体的に各部を述べると、前記第１の脚ベース２２ａは、その端部の内壁２２ａｋから内方へ突出させた荷重支持軸取付部２Ａ４と、フェライト磁石やネオジウム磁石等の永久磁石からなる第２磁石部Ｍ２とを備えている。そしてこれら荷重支持軸取付部２Ａ４と第２磁石部Ｍ２とには、前記荷重支持軸２Ａ２を挿通させるための挿通孔２Ａ４１、挿通孔Ｍ２ｘをそれぞれ形成している。なお、本実施形態では、前記荷重支持軸取付部２Ａ４に上方へ向けて窪ませた窪み部２Ａ４ａを形成し、その窪み部２Ａ４ａに嵌めこんだ第２磁石部Ｍ２をその上面及び側面から保持するように構成している。
【００７８】
また、本実施形態では、第２磁石部Ｍ２を、略円盤形状に形成している。そして、円盤表面たる下向き面Ｍ２ａにおいて、その下向き面Ｍ２ａを略中央から二分した一方の片側半面Ｍ２ａ１にＮ極を形成し、他方の片側半面Ｍ２ａ２にＳ極を形成している（図１７参照）。
【００７９】
前記第２の脚ベース２２ｂは、その先端部に、上下に開口するパイプ形状のキャスタ押当部２２ｂｘを備えている。
【００８０】
このキャスタ押当部２２ｂｘは、外径を前記挿通孔２Ａ４１、挿通孔Ｍ２ｘの内径と略同一寸法を有し、且つ、その内径を前記荷重支持軸２Ａ２の外径と略同一の寸法を有するように構成している。
【００８１】
そして、前記天板１が収納位置（Ｑ）にあるときにこの第２の脚ベース２２ｂが下方に押し下げられ、図１５に示すごとく第２の脚ベース２２ｂのキャスタ押当部２２ｂｘが、前記第１磁石部Ｍ１と当接し、その第１磁石部Ｍ１を下方に押し下げ得る位置に位置付けられるように構成している。また、前記天板１が使用位置（Ｐ）にあるときにこの第２の脚ベース２２ｂが上方に押し上げられ、図１５に示すごとく第２の脚ベース２２ｂのキャスタ押当部２２ｂｘが、前記第１磁石部Ｍ１との当接が解除される位置に位置付けられるように構成している。
【００８２】
なお、前記第１磁石部Ｍ１と第２磁石部Ｍ２とが、前記キャスタ部２Ｃの摺動に連動して前記キャスタ部２Ｃが首を振る機構を構成している。そして、本実施形態では、天板１が使用位置（Ｐ）に位置付けられた時にキャスタ部２Ｃの首を振らせたい方向を考慮して第１磁石部Ｍ１及び第２磁石部Ｍ２のＳ極およびＮ極の配置を決めている。
【００８３】
具体的には、図１７に示すように、第２磁石部Ｍ２のＮ極を第１の脚ベース２２ａの端部側に位置づけ、Ｓ極を第１の脚ベース２２ａの中央側に位置付けるようにしている。そして、第１磁石部Ｍ１のＳ極及びＮ極の配置を、車輪２Ｃ１の回転中心と近い方にＮ極を位置付け、回転中心と遠い方にＳ極を位置付けるようにしている。しかして、第１磁石部Ｍ１と第２磁石部Ｍ２とが近接すると、各磁石部Ｍ１、Ｍ２間の吸着力または反発力により、車輪２Ｃ１の回転中心が第１の脚ベース２２ａの中央側に位置付けられるようにキャスタ部２Ｃが旋回移動する。
【００８４】
さらに、本実施形態では、第１磁石部Ｍ１と第２磁石部Ｍ２との間に、第１磁石部Ｍ１と第２磁石部Ｍ２とが直接接触することを防止するための接触防止部ＳＳを備えている。具体的にこの接触防止部ＳＳは、磁石により吸着されないプラスティックを、略円盤形状に形成したものである。また、該接触防止部ＳＳの略中央部には、厚み方向に貫通する貫通孔ＳＳ１を形成している。そして、この貫通孔ＳＳ１に前記荷重支持軸２Ａ２を挿通可能としている。
【００８５】
以下、図１４の構成による固定脚付キャスタＣの動作を図１６、図１７を参照して説明する。
【００８６】
まず、固定脚付キャスタＣを取付けたテーブルＴの天板１を収納位置（Ｑ）に位置付けると、前記第２の脚ベース２２ｂが押下られその先端部のキャスタ押当部２２ｂｘの下面が、キャスタ部２Ｃの第１磁石部Ｍ１を押下ることによりキャスタ部２Ｃが下方に摺動して床面Ｆに接地し、接地部２Ａ１が床面Ｆから離間する。そして、第１磁石部Ｍ１と第２磁石部Ｍ２とは、物理的に離間する位置に位置付けられて、それら磁石部Ｍ１、Ｍ２間に働く吸着力や反発力の影響が無視できるようになり、テーブルＴを移動させる際にキャスタ部２Ｃは自由に首振り旋回することができる。
【００８７】
一方、天板１を使用位置（Ｐ）に位置付けると、前記第２の脚ベース２２ｂが引上げられキャスタ部２Ｃが押上スプリングＳＰによって上方に摺動して床面Ｆから離間し、接地部２Ａ１が床面Ｆに接地する。そして、押上スプリングＳＰによってキャスタ旋回筒２Ｃ５を介して間接的に上方に押し上げられた第１磁石部Ｍ１は、第２磁石部Ｍ２と近づいてその第２磁石部Ｍ２の磁力による影響すなわち吸着力または反発力を受けることとなる。しかして、所定位置に位置付けられるべくキャスタ部２Ｃは首振り旋回し、所定位置に位置付けられ、Ｓ極とＮ極との吸着力により、そのキャスタ部２Ｃは、首振り不能に固定されることとなる。
【００８８】
なお、第１磁石部Ｍ１および第２磁石部Ｍ２の構成は、本実施形態で説明したものに限られず、例えば、図１８に模式的に示す態様のものなどであってもよい。
【００８９】
例えば、図１８（ｂ）に示すように、Ｓ極を表面側に表出させた磁石Ｍｓ１、Ｍｓ２、・・・（以下、Ｍｓと総称する。）を基材Ｋの表出面の一方に集め、Ｎ極を表面側に表出させた磁石Ｍｎ１、Ｍｎ２、・・・（以下、Ｍｎと総称する。）を他方に集めるとともに、それら複数の磁石Ｍｓ、Ｍｎをリング状に並べて配置したものが挙げられる。また、図１８（ｃ）に示すように、複数の棒磁石Ｍｒを、その各極が揃うように並列に、基材Ｋに並べて配置したものが挙げられる。
【００９０】
さらに、押上スプリングＳＰを用いずに、図１９に示すような構成とすることもできる。
【００９１】
具体的には、キャスタ押当部２２ｂｘの下端部に、接触防止部ＳＳを下端面に備えた第２磁石部Ｍ２を固定するとともにその第２の磁石部Ｍ２に常に第１の磁石部Ｍ１が吸着されるようにし、第２の脚ベース２２ｂの上下動に連動して、第１の磁石部Ｍ１と第２の磁石部Ｍ２とが一体的に上下動するように構成すればよい。
【００９２】
このように構成すれば、押上スプリングを用いずとも、第２の脚ベース２２ｂの引き上げと連動して、キャスタ部２Ｃを引き上げることができ、さらに、引き上げ位置においてそのキャスタ部２Ｃを所定方向に首を振らせることができる。また、第２の脚ベース２２ｂが引き下げられた位置にあっても、キャスタ部２Ｃと床面Ｆとの摩擦力が、第１磁石部Ｍ１と第２磁石部Ｍ２との吸着力等よりも大きければ、キャスタ部２Ｃは、床面Ｆに対して３６０度自在に首を振らせることができる。
【００９３】
なお、補助的に押上スプリングを採用してもよく、採用すれば、前記摩擦力と吸着力等の調整が容易となる。
【００９４】
また、接触防止部ＳＳを、第１磁石部Ｍ１に設けてもよいし、第１磁石部Ｍ１と第２磁石部Ｍ２の両方に設けてもよい。
【００９５】
上述したように、本発明の固定脚付きキャスタＣは、接地部２Ａ１と荷重支持軸２Ａ２を有する固定脚部２Ａと、前記荷重支持軸２Ａ２の周りに首振り旋回可能及び前記荷重支持軸２Ａ２の方向に摺動可能に取付けられたキャスタ部２Ｃを有し、前記摺動の際に前記荷重支持軸２Ａ２に対して特定の方向にキャスタ部２Ｃを首振らせる機構を有しているので、場所を移動させたり設置させたりしたい家具本体に、キャスタ部２Ｃの首振りの方向をあらかじめ考慮して取り付けることによって、固定脚部２Ａの接地部２Ａ１をキャスタ部２Ｃの車輪２Ｃ１よりも突出させたキャスタ部２Ｃ浮上状態でキャスタ部２Ｃを特定の方向に首振らせることができる。
【００９６】
また、荷重支持軸２Ａ２が接地部２Ａ１を有する下端部に対して上部が傾斜または湾曲しているもので、前記下端部が鉛直方向となるように家具本体に取付けると、キャスタ部２Ｃが前記荷重支持軸２Ａ２の傾斜または湾曲している上部に位置するときに、キャスタ部２Ｃはそれ自身に作用する重力によって首を振るため、複雑な構造を用いることなくキャスタ部２Ｃを浮上させたときに特定の方向に首を振らせることができる。
【００９７】
さらに、キャスタ部２Ｃまたは固定脚部２Ａが荷重支持軸２Ａ２の方向に摺動する際、摺動に連動して前記キャスタ部２Ｃが首を振る機構が、キャスタ部２Ｃの一部と固定脚部２Ａの一部又は家具本体の一部が係り合うことで機能するガイド手段であるので、キャスタ部２Ｃを浮上させたときに特定の方向に確実に、また首振りのための特別な操作無しでキャスタ部２Ｃを首振らせることができる。
【００９８】
また、前記ガイド手段を構成する一方が摺動方向に対して斜めに延びる首振りガイド面２２ａ１であり、これがガイド手段を構成する他方であるガイドピン２Ｃ２やキャスタガイド面２Ｃ３などと係り合って機能するものであるため簡易な構造で確実に動作し、荷重支持軸２Ａ２が家具本体に固定されていてキャスタ部２Ｃが前記荷重支持軸２Ａ２に首振り旋回及び摺動可能に取付けられているため、固定脚部２Ａを接地させた使用状態での家具本体のふらつきを小さく抑えることができて使用時の安定感を損なわない。
【００９９】
さらに、荷重支持軸２Ａ２が直線状の軸であり、これに取付けられるキャスタ部２Ｃの摺動方向が直線方向のみであるため、構成部品の製作や作動機構部の組立も容易である。
【０１００】
また、前記キャスタ部２が前記荷重支持軸２Ａ２の方向に摺動する際、摺動に連動して前記キャスタ部２Ｃが首を振る機構が、前記キャスタ部２Ｃの一部に設けた第１磁石部Ｍ１と、第１の脚ベース２２ａ一部に設けた第２磁石部Ｍ２とを備えるものであって、前記第１磁石部Ｍ１と第２磁石部Ｍ２との吸着力または反発力を利用して、前記キャスタ部２Ｃを前記荷重支持軸２Ａ２に対して特定の方向に首を振らせるように構成しているので、当該首を振る機構を、磁石の組み合わせといった非常に簡単な構成で実現できる。
【０１０１】
このとき、前記第１磁石部Ｍ１および第２磁石部Ｍ２が、それぞれ略円盤形状を有するものであって、前記各磁石部Ｍ１、Ｍ２において、その円盤表面を略中央から二分した一方の片側半面Ｍ１ａ１、Ｍ２ａ２にＳ極形成し、他方の片側半面Ｍ１ａ２、Ｍ２ａ１にＮ極を形成することにより、Ｓ極とＮ極とが略同一平面をなすように構成しているので、首を振る機構を、コンパクトなものとすることができる。
【０１０２】
さらに、第１磁石部Ｍ１と第２磁石部Ｍ２とが直接接触することを防止するための接触防止部ＳＳを備えているため、第１磁石部Ｍ１と第２の磁石部Ｍ２とが、吸着力により離れなくなってしまう等の不具合を好適に防止できる。
【０１０３】
本発明の固定脚付きキャスタＣを家具に適用するにあたって、固定脚付キャスタＣは、接地部２Ａ１と荷重支持軸２Ａ２を有する固定脚部２Ａ及び、床面Ｆに対して転がり回転可能な車輪２Ｃ１と前記車輪２Ｃ１を前記荷重支持軸２Ａ２の回りに首振り旋回及び前記荷重支持軸２Ａ２方向に摺動可能に支持するキャスタ旋回筒２Ｃ５を有するキャスタ部２Ｃを具備しているものである。
【０１０４】
前記家具は、前記固定脚付きキャスタＣを複数備え、キャスタ部２Ｃの車輪２Ｃ１が接地して固定脚部２Ａが浮上する移動可能状態と、固定脚部２Ａの接地部２Ａ１が接地してキャスタ部２Ｃが浮上する固定状態を切り替えるために前記荷重支持軸と前記キャスタ支持部を互いに摺動させる操作手段を有する。
【０１０５】
ここで前記家具は、固定脚部２Ａの接地部２Ａ１が接地してキャスタ部２Ｃが浮上するに際して、各固定脚付キャスタＣのキャスタ部２Ｃがあらかじめ定められた特定の方向に首振るものであるため、キャスタ部２Ｃを浮上させて家具を設置した状態での複数のキャスタ部２Ｃの首振り方向をあらかじめ設定しておくことが出来、複数台の家具を並べた際にキャスタ部２Ｃの向きがばらばらになって見苦しい状態になるのを防ぐことができる。また、キャスタ部２Ｃ浮上時に向きを制御するための操作が増えることが無く、簡単確実に作動させることができる。
【０１０６】
前記家具が両端部に前記固定脚付キャスタＣを有する第１の脚ベース２２ａを備えたものであって、固定脚部２Ａの接地部２Ａ１が接地してキャスタ部２Ｃが浮上する際、各キャスタ部２Ｃが前記第１の脚ベース２２ａの長さ方向に向きを揃えるため、前記家具を複数台を並べて使用する際に、外観上も整然として綺麗に見える。
【０１０７】
前記操作手段が、略鉛直方向に回動させた収納状態と、略水平方向に回動させた使用状態を取り得る天板１であれば、特にテーブルＴとして好ましい態様といえる。
【０１０８】
なお、本発明は、以上に詳述した実施形態に限られるものではない。
【０１０９】
例えば、第１の脚支柱２１ａや第２の脚支柱２１ｂを丸パイプで構成するなど、それらの構成は、実施態様に応じて適宜変更可能である。
【０１１０】
また、脚２は、本実施形態のように左右１対設けられたものに限らず、３つ以上或いは１つ設けられたものであっても構わない。
【０１１１】
また、第１の脚ベース２２ａ、第２の脚ベース２２ｂは、第１の脚支柱２１ａや第２の脚支柱２１ｂの下端に、使用端側から反使用端側へ略直線状に延びるものだけでなく、第１の脚支柱２１ａや第２の脚支柱２１ｂの下端を中心に放射状に延びるものであってもよい。
【０１１２】
キャスタ部２Ｃが荷重支持軸２Ａ２の方向に摺動する際、摺動に連動してキャスタ部２Ｃを特定方向に首振らせるガイド手段は、首振りガイド面２２ａ１やキャスタガイド面２Ｃ３、ガイドピン２Ｃ２だけでなく、第１の脚ベース２２ａの一部とキャスタ部２Ｃの一部が係りあうことでもかまわない。
具体的には、第１の脚ベース２２ａが下向きコ字形状でありキャスタ部２Ｃが上方に摺動した際に前記第１の脚ベース２２ａの下向きコ字形状の内側にキャスタ部２Ｃが納まる構成になっており、キャスタ部２Ｃが上方に摺動する際に第１の脚ベース２２ａ下縁部にキャスタ部２Ｃの一部が接触して一定の向きに首を振りながら第１の脚ベース２２ａの下向きコ字形状の内側にキャスタ部２Ｃが納まっていくというものが考えられる。
【０１１３】
また、天板１をフラップ動作させる構造は、前記実施形態のものに限られない。
【０１１４】
回転支軸３１は、一本のものを脚支柱間に横架させるように構成しているが、脚支柱の上端部近傍のみを位置付けるように構成しても良い。
【０１１５】
また、幕板４の取り付け方法も本実施形態に限られるものではない。さらに幕板を具備しないように構成しても構わない。
【０１１６】
その他、各部の具体的構成についても上記実施形態に限られるものではなく、本発明の趣旨を逸脱しない範囲で種々変形が可能である。
【図面の簡単な説明】
【０１１７】
【図１】本発明の実施形態における天板を使用位置に位置付けた際のテーブルの全体斜視図。
【図２】同実施形態における側面図。
【図３】同実施形態における押下機構等の作動機構を示す斜視図。
【図４】同実施形態における天板を収納位置に位置付けた際の側面図。
【図５】同実施形態におけるキャスタ及び固定脚部の床面への接地状態を模式的に示す構造断面図。
【図６】同実施形態におけるキャスタ向き揃えの作動態様を示す図。
【図７】別の実施形態におけるキャスタ向き揃えの作動機構を示す図。
【図８】偏芯した円錐面を利用した実施形態におけるキャスタ向き揃えの構成及び作動原理を示す図。
【図９】重力を利用したキャスタ向き揃えの構成を示す図。
【図１０】重力を利用したキャスタ向き揃えの作動態様を示す図。
【図１１】固定脚付向き揃えキャスタ単体の実施形態における構成を示す図。
【図１２】同実施形態を動作させることができる家具の脚部の構成を示す図。
【図１３】同実施形態におけるキャスタ向き揃えの作動態様を示す図。
【図１４】固定脚付向き揃えキャスタ単体の他の実施形態における構成を示す図。
【図１５】同実施形態を動作させることができる家具の脚部の構成を示す図。
【図１６】同実施形態におけるキャスタ向き揃えの作動態様を示す図。
【図１７】同実施形態における磁石部の作動態様を模式的に示す図。
【図１８】同実施形態における磁石部の他の実施形態を模式的に示す図。
【図１９】他の実施形態におけるキャスタ向き揃えの作動態様を示す図。
【符号の説明】
【０１１８】
Ｂ１・・・・・接地位置
Ｂ２・・・・・離間位置
Ｃ・・・・・・固定脚付キャスタ
Ｆ・・・・・・床面
ｈ・・・・・・隙間
Ｍ１・・・・・第１磁石部
Ｍ１ａ１・・・一方の片側半面
Ｍ１ａ２・・・他方の片側半面
Ｍ２・・・・・第２磁石部
Ｍ２ａ１・・・他方の片側半面
Ｍ２ａ２・・・一方の片側半面
ＮＡ・・・・・孔
Ｐ・・・・・・使用位置
Ｑ・・・・・・収納位置
Ｓ・・・・・・下肢空間
ＳＰ・・・・・押上スプリング
ＳＳ・・・・・接触防止部
Ｔ・・・・・・テーブル
Ｗ・・・・・・作動機構
Ｗ１・・・・・押下機構
Ｗ２・・・・・回動部材
Ｗ３・・・・・進退部材
１・・・・・・天板
２・・・・・・脚
２ａ・・・・・第１の脚
２１ａ・・・・第１の脚支柱
２２ａ・・・・第１の脚ベース
２２ａ１・・・首振りガイド面
２２ａ２・・・首振りガイド部材
２ｂ・・・・・第２の脚
２１ｂ・・・・第２の脚支柱
２２ｂ・・・・第２の脚ベース
２２ｂ１・・・荷重支持軸挿通孔
２Ａ・・・・・固定脚部
２Ａ１・・・・接地部
２Ａ２・・・・荷重支持軸
２Ａ３・・・・湾曲荷重支持軸
２Ａ４・・・・荷重支持軸取付部
２Ｃ・・・・・キャスタ部
２Ｃ１・・・・車輪
２Ｃ２・・・・ガイドピン
２Ｃ３・・・・キャスタガイド面
２Ｃ４・・・・キャスタスライド部材
２Ｃ５・・・・キャスタ旋回筒
２Ｃ６・・・・キャスタ押下部
３・・・・・・支持機構
３ａ・・・・・挿通部
３１・・・・・回転支軸
３２・・・・・天板受け
４・・・・・・幕板
４１・・・・・上支持部材
４２・・・・・下支持部材
５・・・・・・ラッチ機構
５１・・・・・係止要素
５２・・・・・被係止要素
５３・・・・・操作レバー
５４・・・・・係止軸
【図１】
2005096713.tif 000003
【図２】
2005096713.tif 000004
【図３】
2005096713.tif 000005
【図４】
2005096713.tif 000006
【図５】
2005096713.tif 000007
【図６】
2005096713.tif 000008
【図７】
2005096713.tif 000009
【図８】
2005096713.tif 000010
【図９】
2005096713.tif 000011
【図１０】
2005096713.tif 000012
【図１１】
2005096713.tif 000013
【図１２】
2005096713.tif 000014
【図１３】
2005096713.tif 000015
【図１４】
2005096713.tif 000016
【図１５】
2005096713.tif 000017
【図１６】
2005096713.tif 000018
【図１７】
2005096713.tif 000019
【図１８】
2005096713.tif 000020
【図１９】
2005096713.tif 000021